(57)【要約】【目的】  本発明は、机本体と、机本体の天板後部に配設された机上用書棚からなる学習机に関するものであり、特に天板幅が１０００ミリメートルの机であっても、コスト高となることがなく、又、従来の機能を損なうこともなく、さらに、使用者の脚部周りのスペースもある程度確保できる学習机を提供する事を目的とする。【構成】  机本体と、机本体の天板後部に配設された机上用書棚からなる学習机において、天板左右端縁と外側端面がほぼ面一となるよう天板左右端部下面に左右側脚が配設されると共に、机上用書棚取付け用の連結金具の係止部が天板下面に係止するための係止用凹部と運搬用の手掛け用凹部を兼用する、天板左右端部下面が臨む切り欠き凹部を前後方向にわたって左右側脚上端に設けたものである。【選択図】     図３
2007325795.tif 000002
【特許請求の範囲】
【請求項１】
机本体と、机本体の天板後部に配設された机上用書棚からなる学習机において、天板左右端縁と外側端面がほぼ面一となるよう天板左右端部下面に左右側脚が配設されると共に、机上用書棚取付け用の連結金具の係止部が天板下面に係止するための係止用凹部と運搬用の手掛け用凹部を兼用する、天板左右端部下面が臨む切り欠き凹部を前後方向にわたって左右側脚上端に設けたことを特徴とする学習机。
【発明の詳細な説明】
【技術分野】
【０００１】
本発明は、机本体と、机本体の天板後部に配設された机上用書棚からなる学習机に関するものである。
【背景技術】
【０００２】
学習机は設置され部屋の環境、コストによって天板の左右幅が概ね１１００ミリメートル、１０００ミリメートル、９００ミリメートルの３種類があり、このうち机上用書棚を着脱自在とした学習机（成人した時は、好みによって、机上用書棚を取外して使用する為。）は、１１００ミリメートル、１０００ミリメートルが一般的である。
又、学習机は、机上用書棚の側面から天板左右縁の下面にわたって連結金具を取付けて、机上用書棚を机本体の天板後部に連結しているのが一般的であり、このため、机本体の側脚は天板左右端面より所定寸法内側に位置して配設され、この側脚側面より外方に突出した天板左右縁の下面が、連結金具が係止する箇所として、又、運搬用の手掛け部として利用されている。（例えば、特許文献１参照。）
【０００３】
すなわち、机本体の天板下面（左右の側脚間）に移動キャビネットを配置して学習机を使用する場合、左右の側脚は天板左右端面より所定寸法内側に位置して配設されているため、移動キャビネットと一方の側板内面間（椅子の脚、座及び使用者の脚部が位置するスペース）は極端に狭くなり（特に天板幅が１０００ミリメートルの場合は、４８０ミリメートル前後）側脚内面に椅子の脚部が衝突したり、又、窮屈な姿勢で使用しなければならなかった。
【０００４】
【特許文献１】実用新案登録第３０７５９７８号公報
【発明の開示】
【発明が解決しようとする課題】
【０００５】
本発明は、従来の問題点に鑑みて、特に天板幅が１０００ミリメートルの机であっても、コスト高となることがなく、又、従来の機能を損なうこともなく、さらに、使用者の脚部周りのスペースもある程度確保できる学習机を提供する事を課題とする。
【課題を解決するための手段】
【０００６】
そこで、上記課題を解決する為、本発明が第１の手段として構成したところは、机本体と、机本体の天板後部に配設された机上用書棚からなる学習机において、天板左右端縁と外側端面がほぼ面一となるよう天板左右端部下面に左右側脚が配設されると共に、机上用書棚取付け用の連結金具の係止部が天板下面に係止するための係止用凹部と運搬用の手掛け用凹部を兼用する、天板左右端部下面が臨む切り欠き凹部を前後方向にわたって左右側脚上端に設けたものである。
【発明の効果】
【０００７】
請求項１に記載の発明によると、左右側脚の外側端面を天板左右端縁とほぼ面一となる程度に、天板左右端部下面に配設したので、左右側脚間の寸法を最大限まで広げることが出来、使用者はリラックスした姿勢で学習机を使用することが出来、又、椅子の脚部が側脚内面に衝突する頻度も少なくなる。
又、切り欠き凹部は天板左右端部下面が臨む構成（上端面が開口する構成）であるから加工が容易でコストアップも極力おさえることが出来、切り欠き凹部を左右側脚上端に設けたので、指先の挿入して天板下面を持ち上げれば、切り欠き凹部を運搬運搬用の手掛け用凹部として利用できるだけでなく、机上用書棚の連結金具の係止部を天板左右縁の下面に係止して係止用凹部として使用することも可能である。
さらに、切り欠き凹部を前後方向にわたって設けたので、運搬運搬用の手掛け用凹部として利用する時、あるいは、連結金具の係止用凹部として使用時、その位置を限定されることがないので、容易に利用できる。
【発明を実施するための最良の形態】
【０００８】
本発明は、机本体と、机本体の天板後部に配設された机上用書棚からなる学習机において、天板左右端縁と外側端面がほぼ面一となるよう天板左右端部下面に左右側脚が配設されると共に、机上用書棚取付け用の連結金具の係止部が天板下面に係止するための係止用凹部と運搬用の手掛け用凹部を兼用する、天板左右端部下面が臨む切り欠き凹部を前後方向にわたって左右側脚上端に設けたものである。
【実施例】
【０００９】
以下、図１〜図３に基づいて実施例について説明する。
図１において、符号１００は本発明の学習机を示している。
学習机１００は、机本体１と、机本体１の天板１１の後部上面に配設された机上用書棚２より構成されている。
符号１０は、机本体１の天板下方のスペースに配置された移動キャビネットを示している。
【００１０】
机本体１は、天板１１と、天板１１の左右端部下面に配設された左右側脚１２、１２と、左右側脚１２、１２の上端部間で天板１１の下面に配設された引出し部１３と、左右側脚１２、１２の後端部間に配設された後板１４と、後板１４の前側で左右脚体１２、１２の上部間に配設された上棚板部１５と、後板１４の前側で左右脚体１２、１２の下部間に配設された下棚板部１６等より構成されている。
【００１１】
左右側脚１２、１２は対向した同形に形成されているので一方側についてのみ説明する。
側脚１２は、外側端面１２１が天板１１の左右端縁１１１ほぼ面一となる位置（実施例では２．５ミリメートル内側、下側端縁角部の曲面の終部の位置、いわゆるアール止まりの位置）に配設されている。
そして、側脚１２の下端部前後方向には、机本体１の高さを２段階調節する（使用者が十分な体格でない時は取り外し、所定の体格となった時には取付けて使用する。）継ぎ脚１７が着脱自在に設けられ、上端に上面が開口し（天板１１と連結された時には、天板１１の左右端部下面が臨む。）、所定高さ（少なくとも指先がラクにはいる大きさ、実施例では２５ミトメートル）で、上部に臨む天板１１の端部下面が充分運搬用の手掛かり部分となる深さ(実施例では、１５ミリメートル、天板１１の手掛かり部分が２０ミリメートル)で前後方向にわたって（実施例では、４８０ミリメートル）切り欠き凹部５が形成されている。
すなわち、切り欠き凹部５は、前述したように上部に臨む天板１１の端部下面が運搬用の手掛かり部分となることから、運搬用の手掛け用凹部として機能する。
【００１２】
机上用書棚装置２は、左右側板２１、２１と、左右側板２１、２１の後端部間を連結する背板２２と、背板２２に着脱自在で、左右方向に移動自在に取付けられた仕切板部材２３・・・と、背板２２に着脱自在で、左右方向に移動自在に取付けられた引出し部材２４・・・と、背板２２に着脱自在で、左右方向に移動自在に取付けられた棚板部材２５と、背板２２に着脱自在で、左右方向に移動自在に取付けられ、後記するレール材２６の・・・最も接近する上下２本間の間隔の２倍以上の高さ寸法を有する区画部材２７・・・等より構成され、連結金具６にて天板１１と連結されている。
【００１３】
連結金具６は、机上用書棚２の側板２１の下端部に連結される金具本体６１と、下端部がL字形で、切り欠き凹部５の上部に臨む天板１１の端部下面に係止する係止部６２より構成されている。
そして、天板１１の後部上面所望位置に机上用書棚２を載置し、次に、係止部６２が天板１１の下方に突出した状態に連結された連結金具本体６１を、側板２１の側方に連結ネジ６０にて連結する。(このとき係止部の先端６２は切り欠き凹部５、内に位置している。)
そして、係止部６２の上端に螺合する締め付けネジ６３を回転させて、係止部６２を上方に引上げ、係止部６２の先端を天板１１の下面に圧接して、天板１１と机上用書棚２を連結する。
すなわち、切り欠き凹部５は、前述したように連結金具６の係止部６２が天板１１下面に係止するための係止用凹部として機能する。
【図面の簡単な説明】
【００１４】
【図１】本発明の正面図
【図２】本発明の側面図
【図３】図２のＡ−Ａ線拡大断面図
【符号の説明】
【００１５】
１          机本体
１１        天板
１２、１２  左右側脚
１００      学習机
２          机上用書棚
５          切り欠き凹部
６          連結金具
６２        係止部
【図１】
2007325795.tif 000003
【図２】
2007325795.tif 000004
【図３】
2007325795.tif 000005